(57)【要約】【課題】床下から床上に給水管や排水管を配管するに際し、施工が容易で且つ施工手順に不都合を発生させない。【解決手段】床貫通部構造は、給水管１８、１９の水平位置を規制する給水管貫通部材２と排水管１７の水平位置を規制する排水管規制部３を互いに接近させて設けた貫通治具Ｂを床板１０の上下方向に貫通させて固定し、給水管貫通部材２に給水管１８、１９を貫通させると共に、排水管規制部３に接続部材１５を配置して床上に設置した排水管１６と床下に設置した排水管１７を接続する。【選択図】    図４
2008223227.tif 000002
【特許請求の範囲】
【請求項１】
給水管の水平位置を規制する給水管貫通部材と排水管の水平位置を規制する排水管規制部を互いに接近させて設けた治具を床板の上下方向に貫通させて固定し、前記給水管貫通部材に給水管を貫通させると共に、前記排水管規制部に排水管接続部材を配置して床上に設置した排水管と床下に設置した排水管を接続したことを特徴とする給排水管の床貫通部構造。
【請求項２】
前記給水管貫通部材は、給水管の外径よりも大きい内径を有する短管であることを特徴とする請求項１に記載した給排水管の床貫通部構造。
【請求項３】
前記接続部材は、上端部分には床上に設置された排水管と接続する上部接続部を有し、下端部分には床下に設置された排水管と接続する下部接続部を有する短管であることを特徴とする請求項１に記載した給排水管の床貫通部構造。
【請求項４】
前記治具は、リング状のフランジ部と、前記フランジ部のリングの内縁から垂下された筒部材と、前記筒部材のフランジ部とは反対側の内側に設けられた面板と、を有し、前記面板に給水管貫通部材及び排水管規制部が形成されているものであることを特徴とする請求項１に記載した給排水管用床貫通構造。
【請求項５】
前記床板が軽量気泡コンクリートパネルであることを特徴とする請求項１に記載された給排水管の床貫通部構造。
【請求項６】
床板の表面に当接するフランジ部と、床板を貫通する給水管の水平位置を規制する給水管貫通部材と、床上に設置した排水管と床下に設置した排水管を接続する排水管接続部材の水平位置を規制する排水管規制部と、を有し、前記フランジ部の中央部位に前記給水管貫通部材と排水管規制部を設けたことを特徴とする給排水管用床貫通治具。
【請求項７】
前記フランジ部はリング状に形成されており、該リングの内縁から筒部材が垂下されると共に該筒部材のフランジ部とは反対側の内側に面板が設けられ、前記面板に給水管貫通部材及び排水管規制部が形成されていることを特徴とする請求項６に記載した給排水管用床貫通治具。
【請求項８】
予め給水管と排水管を貫通させるべき床板に請求項５に記載した給排水管用床貫通治具を取り付けるための穴を形成しておく工程、
前記床板を取り付けるべき床下空間に所定の長さを持った給水管と床下の所定の高さに上端を有する排水管を敷設する工程、
前記床板を設置するに際し、該床板に設けた穴に給水管を挿通すると共に前記給排水管用床貫通治具に設けた給水管貫通部材に貫通させる工程、
設置された床板の穴に前記給排水管用床貫通治具のフランジ部を当接させて載置する工程、
排水管規制部に排水管接続部材を配置し、排水管接続部材下端を床下空間に敷設した排水管の上端に接続する工程、
床上に設置した排水管を接続する工程、
を含むことを特徴とする給排水管の床貫通部の施工方法。
【請求項９】
請求項８に記載した給排水管の床貫通部の施工方法を構成する工程に加えて、床板の穴にフランジ部を当接させて載置された給排水管用床貫通治具の給水管貫通部材と排水管接続部材を、モルタルを介してフランジ部に固定する工程を含むことを特徴とする給排水管の床貫通部の施工方法。
【請求項１０】
前記床板が軽量気泡コンクリートパネルであることを特徴とする請求項８に記載された給排水管の床貫通部の施工方法。
【発明の詳細な説明】
【技術分野】
【０００１】
本発明は、床を貫通する給水管、給湯管及び排水管の貫通部構造と、給排水管用床貫通治具と、この貫通部を施工する方法に関するものである。
【背景技術】
【０００２】
最近では、建物の耐用年数を大幅に延長した所謂ロングライフ住宅が提供されている。このような建物では、風呂場や洗面所に給水又は給湯する給水管として耐久性の高い管を使用しているが、それでも建物に設定された耐用年数よりも短く、建物の供用期間中に交換することが必要となる。このため、給水管は交換作業を行うことを前提として配管されている。
【０００３】
上記の如き交換が必要な配管の場合、可撓性を有する長尺状の管をさや管の内部に挿通し、さや管を建物の所定部位に強固に固定することで挿通された管を保持し得るように構成されている。そして、管を交換する場合には、挿通された管のみをさや管から引き出して撤去し、新たな管をさや管に挿通させることで施工している。
【０００４】
このようなさや管工法の場合、経路中に半径の小さい曲がり部が存在することは好ましくはなく、且つさや管を建物に対して強固に固定しておくことが必要となる等、幾つかの条件があり、これらの条件を満足し且つ交換作業を円滑に行うために、配管は天井空間と壁内空間を利用して施工されている。即ち、給水や給湯を行うべき階の天井に水道管や給湯器と接続されたヘッダーを設置しておき、該ヘッダーと個々の給水栓や給湯器具をさや管に挿通された長尺状の管によって接続することで施工されている。
【０００５】
さや管の内部に挿通される管としては、架橋ポリエチレン管（架橋ＰＥ管）が用いられる。この架橋ＰＥ管は充分な可撓性と充分な耐久性を有しており、且つ長尺状の継ぎ目無し管（シームレス管）であることから、途中で継ぎ足す必要がなく円滑な施工を実現することができる。
【０００６】
上記架橋ＰＥ管は劣化のメカニズムが学術的に解明され、特殊な処理を施すことでより耐久性を向上させることが可能となり、ロングライフ住宅の耐用年数と同程度の耐用年数（約６０年）のある架橋ＰＥ管が提供されている。このような架橋ＰＥ管を給水管として用いることによって、建物の供用期間中に交換する必要がなくなり、前述した交換のために必要とされる条件を排除することが可能となる。このため、床下空間を利用した配管を施工することができるようになった。
【０００７】
床下空間を利用して給水管を配管する場合、床板に給水管を貫通させる穴や排水管を貫通させる穴を夫々独立して形成しておき、この形成された穴に対応する管を挿通して配管するのが一般的である。
【０００８】
例えば、給水管が可撓性を有する管である場合、これらの管自体が床下に於ける立ち上がり状態を保持することが困難であるという問題がある。このため、塩ビ管等からなる排水用の剛性配管を挿通する穴と、可撓性を有する管を挿通する穴を形成した板状保持部材を用意しておき、この板状保持部材を剛性配管の立ち上がり部分に板状保持部材を挿通すると共に可撓性配管を挿通して床下に固定する構造が提案されている（特許文献１参照）。
【０００９】
【特許文献１】特開２００６−１６１２７１号公報
【発明の開示】
【発明が解決しようとする課題】
【００１０】
床下空間を利用して給水や給湯するための給水管を配管する場合、床板に排水管用の穴を含む幾つかの穴を形成することが必要となる。これらの穴を独立した穴として形成する場合、各穴の位置を決めたり、夫々の穴を加工するための手間が掛かる。特許文献１に記載された技術を利用する場合でも、床に剛性配管や可撓性配管の穴を個々に形成することは必要であり、やはり手間が掛かる。
【００１１】
特に、床板が軽量気泡コンクリート板であるような場合には、形成する穴の径を可及的に小さく、且つ少なくしたいという要求がある。
【００１２】
本発明の目的は、床下から床上に給水管や排水管を配管するに際し、施工が容易で且つ施工手順に不都合を発生させることのない給排水管の床貫通部構造と、この床貫通部構造に用いて有利な給排水管用床貫通治具と、施工方法を提供することにある。
【課題を解決するための手段】
【００１３】
上記課題を解決するために本発明に係る給排水管の床貫通部構造は、給水管の水平位置を規制する給水管貫通部材と排水管の水平位置を規制する排水管規制部を互いに接近させて設けた治具を床板の上下方向に貫通させて固定し、前記給水管貫通部材に給水管を貫通させると共に、前記排水管規制部に排水管接続部材を配置して床上に設置した排水管と床下に設置した排水管を接続したものである。
【００１４】
上記給排水管の床貫通部構造に於いて、給水管貫通部材は給水管の外径よりも大きい内径を有する短管であり、また接続部材は上端部分には床上に設置された排水管と接続する上部接続部を有し、下端部分には床下に設置された排水管と接続する下部接続部を有する短管であり、更に、床板が軽量気泡コンクリートパネルであることが好ましい。
【００１５】
上記給排水管の床貫通部構造に於いて用いる治具は、リング状のフランジ部と、前記フランジ部のリングの内縁から垂下された筒部材と、前記筒部材のフランジ部とは反対側の内側に設けられた面板と、を有し、前記面板に給水管貫通部材及び排水管規制部が形成されているものであることが好ましい。
【００１６】
また本発明に係る給排水管用床貫通治具は、床板の表面に当接するフランジ部と、床板を貫通する給水管の水平位置を規制する給水管貫通部材と、床上に設置した排水管と床下に設置した排水管を接続する排水管接続部材の水平位置を規制する排水管規制部と、を有し、前記フランジ部の中央部位に前記給水管貫通部材と排水管規制部を設けたものである。
【００１７】
上記給排水管用床貫通治具に於いて、フランジ部はリング状に形成されており、該リングの内縁から筒部材が垂下されると共に該筒部材のフランジ部とは反対側の内側に面板が設けられ、前記面板に給水管貫通部材及び排水管規制部が形成されていることが好ましい。
【００１８】
また本発明に係る給排水管の床貫通部の施工方法は、予め給水管と排水管を貫通させるべき床板に上記給排水管用床貫通治具を取り付けるための穴を形成しておく工程、前記床板を取り付けるべき床下空間に所定の長さを持った給水管と床下の所定の高さに上端を有する排水管を敷設する工程、前記床板を設置するに際し、該床板に設けた穴に給水管を挿通すると共に前記給排水管用床貫通治具に設けた給水管貫通部材に貫通させる工程、設置された床板の穴に前記給排水管用床貫通治具のフランジ部を当接させて載置する工程、排水管規制部に排水管接続部材を配置し、排水管接続部材下端を床下空間に敷設した排水管の上端に接続する工程、床上に設置した排水管を接続する工程、を含むことを特徴とするものである。
【００１９】
上記給排水管の床貫通部の施工方法を構成する工程に加えて、床板の穴にフランジ部を当接させて載置された給排水管用床貫通治具の給水管貫通部材と排水管接続部材を、モルタルを介してフランジ部に固定する工程を含むことが好ましい。
【００２０】
上記給排水管の床貫通部の施工方法に於いて、床板が軽量気泡コンクリートパネルであることが好ましい。
【発明の効果】
【００２１】
本発明に係る給排水管の床貫通部構造では、給水管貫通部材と排水管規制部とを接近させて設けた治具を床板に貫通させて固定し、給水管貫通部材に給水又は給湯するための給水管を貫通させ、排水管規制部に排水管接続部材を配置して床下に設置した排水管と床上に設置した排水管を接続するので、床下から床上にかけて床板を貫通した給水管を確実に保持することができ、且つ床下に設置した排水管と床上に設置した排水管を接続することができる。
【００２２】
また、給水管貫通部材と排水管規制部を治具のフランジ部の中央部分に互いに接近させてまとめることができるので、床に複数の貫通孔を形成する必要がなく、フランジ部の寸法に対応した１個の孔を形成するのみで良い。また給水管貫通部材と排水管規制部とが縦に平行して配置されるので、床の上部がすっきりとし、見栄えが良い。
【００２３】
特に、給水管貫通部材を給水管の外径よりも大きい内径を有する短管とすることによって、給水管の挿通を容易とし、且つ挿通した給水管の保持することができる。
【００２４】
また接続部材が上端部分には床上に設置された排水管と接続する上部接続部を有し、下端部分には床下に設置された排水管と接続する下部接続部を有する短管であることから、これらの接続部を介して床下に設置した排水管、床上に設置した排水管を接続することができる。
【００２５】
更に、床板を軽量気泡コンクリートパネルとした場合には、該床板に治具を貫通させる１個の穴を形成すれば良く、軽量気泡コンクリートパネルの強度を損なうことがない。
【００２６】
本発明に係る給排水管用床貫通治具（以下「床貫通治具」という）では、床板に形成した穴の表面にフランジを当接させて固定することができる。そして床貫通治具を床板に固定したとき、給水管貫通部材と排水管規制部とが設置されることとなり、これらの給水管貫通部材を利用して給水管を配管し、排水管規制部に排水管接続部材を配置して床下に設置した排水管と床上に設置した排水管を接続することができる。
【００２７】
また床貫通治具を、フランジ部をリング状に形成すると共に該リングの内縁から筒部材を垂下すると共に該筒部材のフランジ部とは反対側に面板を設けた所謂ハット型に形成することで、この床貫通治具を面板を下にして床に取り付けたとき、該床貫通治具によって床に窪みを形成することができる。このため、面板にモルタルを充填することで、給水管貫通部材と排水管接続部材とを固定することができる。また床板が厚いような場合には、筒部材に孔を形成しておき、この孔から補修材を周囲に供給することで、床板と床貫通治具の筒部材との間を塞いで固定することができる。
【００２８】
特に、床貫通治具の面板が床板の上面よりも下方に配置されるので、排水管規制部から床下に敷設されている排水管に対し排水管接続部材を接続する作業を容易に行うことができる。
【００２９】
また本発明に係る給排水管の床貫通部の施工方法では、予め床板に床貫通治具を取り付けるための穴を形成しておき、且つ床下空間に給水管と排水管を敷設し、床板に設けた穴に給水管を挿通すると共に床貫通治具に設けた給水管貫通部材に貫通させ、床板の穴に床貫通治具のフランジ部を当接させて、排水管規制部に排水管接続部材を配置し、排水管接続部材下端を床下空間に敷設した排水管の上端に接続すると共に床上に設置した排水管を接続することで、床貫通治具を介して所定の配管を施工することができる。
【００３０】
また上記施工方法の各工程に、床板の穴にフランジ部を当接させて載置された給排水管用床貫通治具の給水管貫通部材と排水管接続部材を、モルタルを介してフランジ部に固定する工程を加えることで、給水管貫通部材と排水管接続部材を固定することができる。
【００３１】
上記施工方法では、床板に床貫通治具を貫通させるための穴を１個形成すれば良く、該穴の位置決めを容易に行うことが可能であり作業性を向上させることができる。特に、給水管や排水管毎に穴を形成する場合と比較して小さい面積にまとめることが可能であり、コンパクトな配管を実現できる。
【発明を実施するための最良の形態】
【００３２】
以下、本発明に係る給排水管の床貫通部構造（以下「床貫通部構造」という）と、この床貫通部構造に用いて有利な給排水管用床貫通治具（以下「貫通治具」という）と、給排水管の床貫通部の施工方法（以下「施工方法」という）の最も好ましい実施形態について説明する。
【実施例１】
【００３３】
先ず、本実施例に係る貫通治具の構成について図を用いて説明する。図１は本実施例に係る貫通治具の構成を説明する図である。図に示す貫通治具Ａは、床板を貫通して給水管や排水管を配管する際に好適に用いられるように構成したものである。
【００３４】
貫通治具Ａを設置する床の構造については特に限定するものではなく、木造の床や軽量気泡コンクリート（ＡＬＣ）パネルからなる床、或いは鉄筋コンクリートからなる床であって良い。貫通治具Ａは床の構造に如何に関わらず、目的の器具に接続された給水管や排水管を床を貫通して配管する際に好適に用いることが可能である。
【００３５】
本実施例に係る貫通治具Ａは、ＡＬＣパネルからなる床板１０の表面に当接するフランジ部１と、床板１０を貫通する給水管の水平位置を規制する給水管貫通部材２と、床上に設置した排水管と床下に設置した排水管を接続する排水管接続部材の水平位置を規制する排水管規制部３と、を有して構成されている。
【００３６】
本実施例に係る貫通治具Ａでは、フランジ部１はリング状に形成されており、該フランジ１に円筒状の筒部材４が設けられ、該筒部材４のフランジ部１とは反対側に面板５が設けられている。従って、貫通治具Ａは鍔付の皿状或いはハット状に形成されている。そして給水管貫通部材２及び排水管規制部３は何れも面板５に形成されることで、給水管貫通部材２及び排水管規制部３は、フランジ部１の中央部位に位置するように構成されている。
【００３７】
しかし、貫通治具は上記形状に限定するものではなく、平板状のフランジ部を構成し、この平板状のフランジの中央部位に給水管貫通部材と排水管規制部を設けても良い。
【００３８】
貫通治具Ａの材質は特に限定するものではなく、合成樹脂によって構成したものや、鋼板を利用したものであって良い。本実施例では、貫通治具Ａを構成する各部材を鋼板によって形成すると共に溶接等の手段で互いに固定することで構成している。
【００３９】
フランジ部１には複数の穴１ａが形成されており、該穴１ａを利用して床板１０に固定し得るように構成されている。
【００４０】
給水管貫通部材２は、給水管の外径よりも大きい内径を有する短管によって構成されている。給水管貫通部材２の数は特に限定するものではなく、目的の器具が給湯栓と給水栓を有する場合２本の給水管貫通部材２が設けられ、また目的の器具が給湯栓或いは給水栓のみを有する場合１本の給水管貫通部材２が設けられる。
【００４１】
本実施例では、図に示すように、２本の給水管貫通部材２を有しており、これらの給水管貫通部材２の下端部分が面板５に配置されている。従って、面板５には２本の給水管貫通部材２に対応する位置に夫々穴が形成されており、該穴に対応して給水管貫通部材２が取り付けられている。
【００４２】
２本の給水管貫通部材２を配置する場合、これらの給水管貫通部材２は下端部分が互いに可及的に接近した状態で面板５に固定される。そしてこのように、下端部分を互いに接近させて固定することで、小さい面積で２本の給水管を貫通させることが可能となる。従って、床板に対し必要な管（給水管、排水管）毎に貫通穴を形成する場合と比較して小さい面積を利用してまとめた配管を行うことが可能である。
【００４３】
給水管貫通部材２を構成する管２ａの上端部には、該給水管貫通部材２に貫通させた給水管を固定するための締結部が形成されている。この締結部は、対向して設けた一対の締結片２ｂとねじ２ｃとによって構成されており、ねじ２ｃを締め付けることで締結片２ｂを接近させて給水管を締結することが可能である。
【００４４】
排水管規制部３は後述する排水管の接続部材を貫通させて位置を規制し得るように構成されている。このため、排水管規制部３は接続部材を貫通させることが可能な径を持った穴として構成されている。
【００４５】
筒部材４は、貫通治具Ａが配置される床板１０の厚さと略同じ寸法を持って形成されており、側面に複数の穴４ａが形成されている。この穴４ａは、貫通治具Ａを床板１０に配置して必要な配管をした後、この配管部分を補修するために利用するものであり、特に、床板１０がＡＬＣパネルであるような場合、フランジ部１の上部から供給したモルタル等の補修材を穴４ａからＡＬＣパネルに付着させるものである。
【実施例２】
【００４６】
次に、本実施例に係る床貫通部構造について図を用いて説明する。図２は貫通治具Ｂを床板に取り付けた状態を説明する図である。図３は貫通治具Ｂに接続部材を取り付けた状態を説明する図である。図４は給水管の配管状態を説明する正面図である。図５は給水管の配管状態を説明する側面図である。
【００４７】
本実施例に於いて利用する貫通治具Ｂは、図に示すように、給水管貫通部材２の上端部分に形成した締結部を構成する締結片２ｂが前述した貫通治具Ａの締結片２ｂとは反対の方向に配置されている。しかし、前記締結片２ｂ以外は同一に構成されている。このように、給水管貫通部材２に形成した締結部をどのように構成するかは限定するものではなく、この構成以外でも、例えばホースバンドを利用する構成等を適宜採用することが可能である。
【００４８】
貫通治具Ｂは筒部材４が床板１０に形成された穴１０ａに嵌め込まれ、これによりフランジ部１が床板１０の表面に載置されている。貫通治具Ｂは、目的の器具（本実施例では図３に示す洗面台）に於ける給水管、排水管の配置に対して最も円滑な配管を行えるようなように位置に設定されており、フランジ部１の穴１ａを介して図示しないビス等の固定具によって床板１０に固定されている。
【００４９】
床板１０に固定された貫通治具Ｂのフランジ部１の上部には、床下地材１１、床仕上げ材１２が夫々施工されており、これらの床下地材１１、床仕上げ材１２によってフランジ部１の上面の一部が覆われている。
【００５０】
貫通治具Ｂの排水管規制部３に接続部材１５が配置されている。この接続部材１５は比較的に短い管からなり、上端部分には床上に設置された排水管１６（図５参照）と接続する上部接続部１５ａが設けられており、下端部分には床下に設置された排水管１７と接続する下部接続部１５ｂが設けられている。
【００５１】
上部接続部１５ａ、下部接続部１５ｂは夫々排水管が接続し得れば良く、構造を限定するものではない。例えば、上部接続部１５ａは、屋内に設置された器具（洗面台）の排水管の端部が単なる管である場合には該管を差し込むことが可能な管であって良い。本実施例では排水管１６にはナット１６ａが設けられており、接続部材１５の上部接続部１５ａには、該ナット１６ａを締結するねじが形成されている。
【００５２】
また下部接続部１５ｂも同様に、床下に設置された排水管の上端部分の構造に対応して単に差し込む構造やナットを有している。本実施例では床下に設置された排水管１７は上端部が開放した状態で構成されており、接続部材１５の下部接続部１５ｂは排水管１７に挿入された状態で接着されている。
【００５３】
２本の給水管貫通部材２には夫々給水管１８、１９が挿通されている。これらの給水管１８、１９は、長尺状の架橋ＰＥ管１８ａ、１９ａを、これも長尺状のさや管１８ｂ、１９ｂに挿通して構成されており、端部に設けたコネクタ１８ｃ、１９ｃを洗面台のコネクタに接続することで配管されている。各給水管１８、１９は、洗面台のコネクタと接続した状態で、給水管貫通部材２に設けたねじ２ｃを締結することで、対向する一対の締結片２ｂを介して貫通治具Ｂに固定されている。
【００５４】
給水管１８、１９は一方が給湯用の給湯管として利用され、他方が冷水用の給水管として利用される。給水管１８、１９の何れを給湯用とし、或いは給水用とするかについては限定するものではなく、器具としての洗面台の接続構成に応じて適宜設定される。
【００５５】
給水管１８、１９は、貫通治具Ｂの給水管貫通部材２に挿通されて立ち上がった後、直接洗面台に接続されても良い。しかし、本実施例では、壁面２０に支持金物２１を固定しておき、この支持金物２１によって給水管１８、１９を支持し得るように構成している。このように構成することによって、給水管１８、１９を安定した状態に保持することが可能となる。
【００５６】
上記の如く構成された床貫通部構造では、給湯管を含む給水管、排水管等の複数の管を床下から床上に配管する際に、床板１０に貫通治具Ｂの筒部材４を嵌め込むのに必要な大きさを持った穴のみを形成することで、必要数の配管を小さい面積で配管することが可能である。
【実施例３】
【００５７】
次に、本実施例に係る床貫通部の施工方法について図２〜図５を用いて説明する。目的の器具、例えば洗面台を設置すべき位置に対応した床板１０に予め貫通治具Ａ又はＢ（貫通治具Ｂ）の筒部材４を嵌め込むための穴１０ａを形成しておく、また建物の建築段階で目的の階の床下に洗面台に接続する数の給水管１８、１９を配管すると共に排水管１７を設置しておく。このとき、給水管１８、１９は長尺状の管を余裕を持った長さで床下に配置しておき、排水管１７は上端部が所定の高さ（床板１０の裏面からの間隔が予め設定された寸法となるような高さ）に設定しておく。
【００５８】
上記の如くして配管の準備をし、穴１０ａを形成した床板１０を建物の躯体に敷き込む際に、該床板１０の穴１０ａに給水管１８、１９を通すと共に貫通治具Ｂの給水管貫通部材２に挿通する。この状態では、貫通治具Ｂは床板１０には固定されていない。
【００５９】
次いで、床板１０を建物の躯体に敷き込み、貫通治具Ｂの筒部材４を穴１０ａに嵌め込むと共に、給水管貫通部材２の位置を洗面台の接続位置に対応させるように調整し、フランジ部１を床板１０の表面に当接して載置する。
【００６０】
床下に設置した排水管１７と床上に設置した排水管１６を接続する接続部材１５を貫通治具Ｂの排水管規制部３に通し、下部接続部１５ｂを排水管１７に嵌合させて接着する。その後、フランジ部１に形成された穴１ａを利用してビス等により、貫通治具Ｂを床板１０に固定する。
【００６１】
上記の如くして貫通治具Ｂを床板１０に固定したとき、給水管１８、１９は貫通治具Ｂの給水管貫通部材２を通して床下から床上に配管され、床下に設置した排水管１７には接続部材１５が挿通されて床上に開口している。
【００６２】
貫通治具Ｂを通して配管された給水管１８、１９を夫々のコネクタ１８ｃ、１９ｃを洗面台のコネクタに接続することで配管し、洗面台から延長されている排水管１６の端部を接続部材１５に嵌め込むと共に所定位置を支持金物２１によって支持し、ナット１６ａをねじに締結することで配管する。このように給水管１８、１９、排水管１６、１７を夫々貫通治具Ｂを介して床下から床上に配管することで、洗面台に対して配管することが可能である。
【００６３】
更に、貫通治具Ｂに於ける該筒部材４の内周面と面板５とによって構成される空間に補修材を充填して床板１０に形成された穴１０ａを補修することで、気密性や断熱性を回復することが可能である。床板１０に対する補修作業は、貫通治具Ｂを床板１０に固定した後はいつ行っても良く、作業順序を限定するものではない。
【産業上の利用可能性】
【００６４】
本発明に係る床貫通部構造は、形成すべき穴の数が１個で良く、小さい面積で複数の管を高い密度で配管することが可能である。このため、床板の構造に関わらず利用することが可能である。
【図面の簡単な説明】
【００６５】
【図１】本実施例に係る貫通治具の構成を説明する図である。
【図２】貫通治具を床板に取り付けた状態を説明する図である。
【図３】貫通治具に接続部材を取り付けた状態を説明する図である。
【図４】給水管の配管状態を説明する正面図である。
【図５】給水管の配管状態を説明する側面図である。
【符号の説明】
【００６６】
Ａ、Ｂ                    貫通治具
１                        フランジ部
１ａ                      穴
２                        給水管貫通部材
２ａ                      管
２ｂ                      締結片
２ｃ                      ねじ
３                        排水管規制部
４                        筒部材
４ａ                      穴
５                        面板
１０                      床板
１０ａ                    穴
１１                      床下地材
１２                      床仕上げ材
１５                      接続部材
１５ａ                    上部接続部
１５ｂ                    下部接続部
１６、１７                排水管
１６ａ                    ナット
１８、１９                給水管
１８ａ、１９ａ            架橋ＰＥ管
１８ｂ、１９ｂ            さや管
１８ｃ、１９ｃ            コネクタ
２０                      壁面
２１                      支持金物
【図１】
2008223227.tif 000003
【図２】
2008223227.tif 000004
【図３】
2008223227.tif 000005
【図４】
2008223227.tif 000006
【図５】
2008223227.tif 000007